(57)【要約】【課題】農業用ハウスの被覆材の取付け作業を軽減することができる農業用ハウス用の設置補助装置を提供する。【解決手段】並んで立てられた複数のフレーム６に被覆材７が取り付けられた農業用ハウス５において被覆材７の取付け作業を補助する農業用ハウス５用の設置補助装置１である。設置補助装置１は、架台２と滑走部材３と受力部３３とを備える。架台２は、展開前の被覆材７が載せられる。滑走部材３は、架台２を支持し、農業用ハウス５の屋根５１の上でフレーム６が並べられた方向に移動可能に構成される。受力部３３は、滑走部材３を移動させる力を受ける。被覆材７は、端部が屋根５１の長手方向の一端に固定され、滑走部材３が屋根５１の長手方向の他端に向かって移動することで引き出される。【選択図】図１
2015171330.tif 000002
【特許請求の範囲】
【請求項１】
並んで立てられた複数のフレームに被覆材が取り付けられた農業用ハウスにおいて前記被覆材の取付け作業を補助する農業用ハウス用の設置補助装置であって、
展開前の前記被覆材が載せられる架台と、
前記架台を支持し、前記農業用ハウスの屋根の上で前記フレームが並べられた方向に移動可能に構成される滑走部材と、
前記滑走部材を移動させる力を受ける受力部とを備え、
前記被覆材は、端部が前記屋根の一端に固定され、前記滑走部材が前記屋根の他端に向かって移動することで引き出される
ことを特徴とする設置補助装置。
【請求項２】
前記滑走部材は、前記架台よりも移動する向きに延長される
ことを特徴とする請求項１記載の設置補助装置。
【請求項３】
前記滑走部材の前端部は、前端に向かって次第に上に傾斜する形状に形成される
ことを特徴とする請求項１または２記載の設置補助装置。
【請求項４】
一端が前記受力部に固定された紐体と、
前記屋根の他端側に配置され、前記紐体の他端が固定され前記紐体を巻取り可能に構成される回転ドラムとを有する巻取り装置を備え、
前記巻取り装置は、前記回転ドラムに前記紐体を巻き取ることで前記滑走部材を引き寄せる
ことを特徴とする請求項１〜３のうちいずれか１項に記載の設置補助装置。
【請求項５】
前記巻取り装置は、前記回転ドラムを回転させるモータを備える
ことを特徴とする請求項４記載の設置補助装置。
【請求項６】
前記巻取り装置は、前記モータの回転、停止を遠隔操作するリモートコントローラを備える
ことを特徴とする請求項５記載の設置補助装置。
【請求項７】
前記被覆材を引き出す力に抗して抵抗力を作用させる抵抗付与部を備える
ことを特徴とする請求項１〜６のうちいずれか１項に記載の設置補助装置。
【請求項８】
前記抵抗付与部は、前記架台における前記屋根の一端側に配置され、前記架台から前記被覆材が引き出される部位および前記屋根よりも高い位置において、引き出される前記被覆材を下側から支持する
ことを特徴とする請求項７記載の設置補助装置。
【請求項９】
前記被覆材は、複数層に折り重ねられた状態で前記架台に載せられる
ことを特徴とする請求項１〜８のうちいずれか１項に記載の設置補助装置。
【請求項１０】
前記架台に載せられた前記被覆材の浮き上がりを防止する浮上がり防止部材を備える
ことを特徴とする請求項９記載の設置補助装置。
【請求項１１】
前記被覆材は、ロール状に巻かれた状態で前記架台に載せられる
ことを特徴とする請求項１〜８のうちいずれか１項に記載の設置補助装置。
【請求項１２】
前記滑走部材は、前記屋根の勾配に沿って配置される
ことを特徴とする請求項１〜１１のうちいずれか１項に記載の設置補助装置。
【発明の詳細な説明】
【技術分野】
【０００１】
本発明は、一般に農業用ハウス用の設置補助装置、より詳細には農業用ハウスの被覆材の取付け作業を補助する農業用ハウス用の設置補助装置に関するものである。
【背景技術】
【０００２】
従来、植物の育成環境を形成する農業用ハウスが提供されている（例えば、特許文献１参照）。この種の農業用ハウスは、地面に立てられた複数のフレームに被覆材が取り付けられることで構成される。
【先行技術文献】
【特許文献】
【０００３】
【特許文献１】特開２０１０−２５２６９２号公報
【発明の概要】
【発明が解決しようとする課題】
【０００４】
農業用ハウスの被覆材の取付け作業、特に屋根を構成する被覆材の取付け作業は、高所での作業を要するので、被覆材を展開して取り付けるのが困難であり多くの人手が必要であった。
【０００５】
本発明は、上記事由に鑑みてなされたものであり、その目的は、農業用ハウスの被覆材の取付け作業を軽減することができる農業用ハウス用の設置補助装置を提供することにある。
【課題を解決するための手段】
【０００６】
本発明の設置補助装置は、並んで立てられた複数のフレームに被覆材が取り付けられた農業用ハウスにおいて前記被覆材の取付け作業を補助する農業用ハウス用の設置補助装置であって、展開前の前記被覆材が載せられる架台と、前記架台を支持し、前記農業用ハウスの屋根の上で前記フレームが並べられた方向に移動可能に構成される滑走部材と、前記滑走部材を移動させる力を受ける受力部とを備え、前記被覆材は、端部が前記屋根の一端に固定され、前記滑走部材が前記屋根の他端に向かって移動することで引き出される。
【０００７】
この設置補助装置において、前記滑走部材は、前記架台よりも移動する向きに延長されることが好ましい。
【０００８】
この設置補助装置において、前記滑走部材の前端部は、前端に向かって次第に上に傾斜する形状に形成されることが好ましい。
【０００９】
この設置補助装置において、一端が前記受力部に固定された紐体と、前記屋根の他端側に配置され、前記紐体の他端が固定され前記紐体を巻取り可能に構成される回転ドラムとを有する巻取り装置を備え、前記巻取り装置は、前記回転ドラムに前記紐体を巻き取ることで前記滑走部材を引き寄せることが好ましい。
【００１０】
この設置補助装置において、前記巻取り装置は、前記回転ドラムを回転させるモータを備えることが好ましい。
【００１１】
この設置補助装置において、前記巻取り装置は、前記モータの回転、停止を遠隔操作するリモートコントローラを備えることが好ましい。
【００１２】
この設置補助装置において、前記被覆材を引き出す力に抗して抵抗力を作用させる抵抗付与部を備えることが好ましい。
【００１３】
この設置補助装置において、前記抵抗付与部は、前記架台における前記屋根の一端側に配置され、前記架台から前記被覆材が引き出される部位および前記屋根よりも高い位置において、引き出される前記被覆材を下側から支持することが好ましい。
【００１４】
この設置補助装置において、前記被覆材は、複数層に折り重ねられた状態で前記架台に載せられることが好ましい。
【００１５】
この設置補助装置において、前記架台に載せられた前記被覆材の浮き上がりを防止する浮上がり防止部材を備えることが好ましい。
【００１６】
この設置補助装置において、前記被覆材は、ロール状に巻かれた状態で前記架台に載せられることが好ましい。
【００１７】
この設置補助装置において、前記滑走部材は、前記屋根の勾配に沿って配置されることが好ましい。
【発明の効果】
【００１８】
以上説明したように、本発明では、被覆材が載せられた架台を支持する滑走部材が屋根を移動することで、被覆材が展開される。したがって、高所において作業者が被覆材を展開する作業が不要となるので、農業用ハウスの被覆材の取付け作業を軽減することができるという効果がある。
【図面の簡単な説明】
【００１９】
【図１】実施形態の設置補助装置を用いた施工を行っている状態を示す斜視図である。
【図２】実施形態の設置補助装置を用いた施工を行っている状態を示す平面図である。
【図３】実施形態の設置補助装置を用いた施工を行っている状態を示す側面図である。
【図４】実施形態の設置補助装置の要部を示す斜視図である。
【図５】実施形態の被覆材を示す斜視図である。
【図６】実施形態の他の構成例を示す側面図である。
【図７】実施形態のさらに他の構成例を示す側面図である。
【発明を実施するための形態】
【００２０】
以下、本発明の実施の形態を図面に基づいて説明する。
【００２１】
（実施形態）
図１，図２に示すように、本実施形態は、並んで立てられた複数のフレーム６に被覆材７が取り付けられた農業用ハウス５において被覆材７の取付け作業を補助する農業用ハウス５用の設置補助装置１である。設置補助装置１は、架台２と滑走部材３と受力部３３とを備える（図３，図４参照）。架台２は、展開前の被覆材７が載せられる。滑走部材３は、架台２を支持し、農業用ハウス５の屋根５１の上でフレーム６が並べられた方向に移動可能に構成される。受力部３３は、滑走部材３を移動させる力を受ける。そして、被覆材７は、端部が屋根５１の長手方向の一端に固定され、滑走部材３が屋根５１の長手方向の他端に向かって移動することで引き出される。以降、屋根５１の長手方向の一端を始端５１１、屋根５１の長手方向の他端を終端５１２という。
【００２２】
まず、農業用ハウス５の構成について説明する。農業用ハウス５は、植物の育成場（圃場）の周りに立てられた例えば金属製パイプで構成される複数のフレーム６に、例えば合成樹脂フィルムなどの透光性を有する被覆材７が取り付けられることで構成され、植物の育成環境を形成する。農業用ハウス５は、断面逆Ｕ字状に形成され、断面半円状の屋根５１と、屋根５１を支持し互いに対向する一対の側壁５２と、側壁５２に直交し互いに対向する一対の妻壁５３とを一体に備える。側壁５２および屋根５１は、１列に並べて立てられたアーチ状のフレーム６を構造材として備えている。また、屋根５１は、フレーム６を連結する棟６１を構造材として備えている。妻壁５３は、複数の支柱６２を構造材として備えている。そして、組み立てられた構造材（フレーム６、棟６１、支柱６２など）を覆うように被覆材７が取り付けられることで、農業用ハウス５が構成される。
【００２３】
本実施形態の設置補助装置１は、上記の農業用ハウス５の被覆材７、より具体的には屋根５１を構成する被覆材７の取付け作業を補助する。設置補助装置１は、屋根５１の上でフレーム６が並べられた方向に移動可能に構成される滑走部材３と、滑走部材３に支持され展開前の被覆材７が載せられる架台２とを備える。施工の際には、被覆材７の一端を屋根５１の始端５１１に固定し、滑走部材３を屋根５１の始端５１１側から終端５１２側に向かって移動させる。これにより、被覆材７が架台２から屋根５１の上へ引き出され、屋根５１の始端５１１から終端５１２までを被覆材７で覆うことができる。以下に、本実施形態の設置補助装置１の構成について詳細に説明する。なお、滑走部材３が移動する向きを「前」、滑走部材３が移動する向きの反対向きを「後」として説明する。
【００２４】
図３，図４に示すように、設置補助装置１は、架台２、滑走部材３、受力部３３を備える。
【００２５】
架台２は、台板２１と柵２２とを備える。台板２１は、被覆材７が載せられる。また、台板２１は、屋根５１における棟６１を中心とした勾配（カーブ）に合わせて湾曲して形成されている。柵２２は、台板２１の縁に沿って設けられている。さらに、架台２は、被覆材７が引き出される引出し口２３を備えている。引出し口２３は、架台２の後側において、台板２１と柵２２の上端との間に形成された開口で構成される。
【００２６】
ここで、被覆材７は、展開前の状態として、複数層に折り重ねられた状態で架台２に載せられる。具体的には、被覆材７は、裏表が交互に繰り返される、いわゆる「つづら折り」の状態で架台２に載せられる。なお、本実施形態では、設置補助装置１を運びやすくするために、架台２の幅を屋根５１の幅よりも短く形成している（図１，図２参照）。したがって、被覆材７は、図５に示すように、具体的にはつづら折りされた状態から、さらに両側端が畳まれた状態で架台２に載せられ、端部が引っ張られることで展開される。
【００２７】
さらに、架台２には、被覆材７が張られた状態で引き出させるよう、被覆材７を引き出す力に抗して抵抗力を作用させる抵抗付与部２４が設けられている（図３参照）。抵抗付与部２４は、ローラ２４１と、ローラ２４１を支持する支持部材２４２とを備える。ローラ２４１は、架台２の後端から斜め上向きに突出した支持部材２４２によって、引出し口２３よりも高い位置において回転自在に支持される。そして、被覆材７は、引出し口２３からローラ２４１の上側を経由して引き出され、屋根５１に乗せられる。
【００２８】
さらにまた、架台２には、架台２に載せられた被覆材７の浮き上がりを防止する浮上がり防止部材２５が設けられている。浮上がり防止部材２５は、前後方向に設けられた棒状部材であり、柵２２の上端における前枠と後枠とを接続するように設けられる。すなわち、浮上がり防止部材２５は、架台２の上側を塞ぎ、台板２１に載せられる被覆材７の上向きへの移動を規制する。
【００２９】
次に、滑走部材３の構成について説明する。滑走部材３は、複数本（本実施形態では４本）の棒状部材で構成されており、台板２１の下面に沿って前後方向に設けられ、架台２を支持する。上述したように、台板２１は屋根５１の勾配に合わせて形成されているので、滑走部材３は、屋根５１の勾配に沿って配置されることとなる。また、滑走部材３は、架台２よりも前に延長されており、前端部３１は、前端に向かって次第に上に傾斜する形状に形成されている。なお、本実施形態では、前端部３１は、前側に膨らんだ湾曲形状に形成されている。さらに、滑走部材３は、前後方向、横方向に設けられた棒状部材が組み合わされて構成された補強部材３２によって、前端部３１と架台２とが連結されている。滑走部材３は、複数本（少なくとも２本以上）のフレーム６に直交して跨るように屋根５１に乗せられる。そして、滑走部材３は、複数本のフレーム６に跨った状態で、フレーム６が並べられた方向、すなわち屋根５１の始端５１１側から終端５１２側に向かって移動される。
【００３０】
受力部３３は、例えば補強部材３２の前端部の中央に設けられるアイボルトで構成されており、後述する紐体４１の一端が固定され、滑走部材３を移動させる力を受ける。なお、受力部３３は、補強部材３２と一体構成され、補強部材３２に紐体４１が固定される構成であってもよい。また、受力部３３を複数備え、紐体４１が２カ所以上に固定される構成であってもよい。
【００３１】
さらに、本実施形態の設置補助装置１は、紐体４１を用いて滑走部材３を移動させる巻取り装置４を備える（図１参照）。巻取り装置４は、紐体４１、回転ドラム４２、滑車４３を備える。紐体４１は、例えばロープで構成されており、一端が受力部３３に固定され、他端が回転ドラム４２に固定される。回転ドラム４２は、屋根５１の終端５１２側の地面に配置され、回転することで紐体４１を巻き取る。滑車４３は、支持部材４３１の先端に固定されており、支持部材４３１が妻壁５３に立てかけられることで、滑車４３が屋根５１の終端５１２における頂上付近に配置される。そして、滑車４３は、受力部３３と回転ドラム４２との間で紐体４１が移動する向きを変える。巻取り装置４は、回転ドラム４２を回転させ紐体４１を巻き取ることで、滑走部材３を引き寄せ、滑走部材３を始端５１１側から終端５１２側に向かって移動させる。なお、滑車４３を設ける構成は、上記に限定せず、例えば脚立の先端に滑車４３を取り付け、脚立を妻壁５３に立てかけるように構成してもよいし、妻壁５３に滑車４３を直接固定するように構成してもよい。
【００３２】
さらに、巻取り装置４は、モータ４４、リモートコントローラ４５（以降、リモコン４５と略称する）を備えている。モータ４４は、電力を用いて回転ドラム４２を回転させる。リモコン４５は、モータ４４の回転、停止を遠隔操作することができる。リモコン４５は、例えば押しボタンで構成される操作部４５１と、電波を伝送媒体に用いた無線信号を送信する送信部４５２とを備えている。そして、リモコン４５は、ユーザによる操作部４５１の操作内容に応じて、モータ４４の回転指示、停止指示を示す無線信号を送信する。また、モータ４４には、モータ４４の回転、停止を制御する制御部４６が接続されており、制御部４６は、リモコン４５から送信される無線信号を受信し指示内容に応じてモータ４４の回転、停止を行う。なお、本実施形態では、制御部４６とリモコン４５との間で無線信号を伝送する構成であるが、制御部４６とリモコン４５との間で有線の伝送路を用いて信号を伝送する構成であってもよい。
【００３３】
次に、設置補助装置１を用いた施工工程について説明する。
【００３４】
まず、滑走部材３が屋根５１の始端５１１側に乗せられ、被覆材７を架台２の引出し口２３からローラ２４１の上側を介して引出し、屋根５１の始端５１１に固定する。なお、被覆材７の固定には、フィルム用の固定部材（図示なし）が用いられる。架台２には柵２２が設けられているので、被覆材７の落下を防止することができる。さらに、被覆材７は、つづら折りの状態であるので、架台２からスムーズに引き出して展開することができる。
【００３５】
作業者は、リモコン４５を用いてモータ４４を回転させ回転ドラム４２に紐体４１を巻き取り、滑走部材３を屋根５１の終端５１２に向かって移動させる。滑走部材３は、架台２よりも前に延長されているので、重心が後側となる。さらに、滑走部材３の前端部３１は、上向きに湾曲し、補強部材３２によって垂れ下がりも防止されている。これにより、滑走部材３の前端部がフレーム６の下側に潜り込むことが防止され、滑走部材３をスムーズに移動させることができる。また、滑走部材３は、屋根５１の勾配に沿って配置されている。これにより、屋根５１への荷重が分散され、架台２の傾きも防止されるので、滑走部材３を安定してスムーズに移動させることができる。
【００３６】
そして、滑走部材３が移動されることによって、被覆材７が架台２から自動的に引き出される。抵抗付与部２４は、架台２における屋根５１の始端５１１側に配置されており、架台２から被覆材７が引き出される部位である引出し口２３および屋根５１よりも高い位置において、引き出される被覆材７を下側から支持している。すなわち、抵抗付与部２４は、引出し口２３から引き出される被覆材７を一旦持ち上げることで、被覆材７を引き出す力に抗して抵抗力を作用させる。これにより、被覆材７を始端５１１側に張った状態で引き出すことができるので作業効率が向上し、さらに展開前の被覆材７全体が架台２から滑り落ちることも防止することができる。また、抵抗付与部２４は、回転自在に支持されるローラ２４１を被覆材７との接触部に用いている。これにより、被覆材７との摩擦力が過大になることが防止されるので、被覆材７をスムーズに引き出すことができ、被覆材７の破損を防止することができる。
【００３７】
ここで、作業者は、滑走部材３をある程度移動させると、モータ４４を停止させ滑走部材３を止める。そして、作業者は、引き出された被覆材７の両側端を一対の側壁５２に固定する。このとき、二人の作業者で被覆材７の両側端を引っ張り合い、被覆材７が張られた状態で側壁５２に固定することが望ましい。その後、作業者は、滑走部材３の移動と、引き出された被覆材７の固定とを交互に繰り返し、被覆材７を屋根５１の始端５１１から終端５１２まで順に取り付ける。これにより、引き出された被覆材７が風で煽られることを防止することができ、作業効率を向上させることができる。さらに、展開前の被覆材７においても、浮上がり防止部材２５が設けられているので、風で煽られることを防止することができる。
【００３８】
このように、本実施形態の設置補助装置１を用いることによって、地上にいながら被覆材７を屋根５１の上に展開することができる。したがって、高所（例えば屋根５１の上）において作業者が被覆材７を展開する作業が不要となり、作業人数を削減することができる。
【００３９】
さらに、本実施形態では、巻取り装置４を用いて滑走部材３を自動的に移動させるので、滑走部材３を手動で移動させる作業者も不要となり、作業人数をさらに削減することができる。また、本実施形態では、リモコン４５を用いてモータ４４の回転、停止、すなわち滑走部材３の移動、停止を遠隔操作することができる。したがって、被覆材７を側壁５２に固定する作業者がリモコン４５を操作して滑走部材３を移動させる作業も行うことができ、作業人数を削減することができる。さらに、この場合、作業者は、滑走部材３の移動量を調整し被覆材７の引出し量を調整できるので、被覆材７を固定する作業の作業効率が向上する。
【００４０】
なお、本実施形態では、架台２の幅を屋根５１の幅よりも短く形成している（図１，図２参照）が、架台２の幅を屋根５１の幅に合わせて形成してもよい。この場合、被覆材７の両側側を畳む必要がなく、被覆材７をよりスムーズに引き出して展開することができる。
【００４１】
また、浮上がり防止部材２５の別構成として、図６に示すように、展開前の被覆材７を上から押さえつけるローラ２５１と、ローラ２５１を支持する支持部材２５２とを備える浮上がり防止部材２５０で構成してもよい。ローラ２５１は、柵２２を支点として回転可能に取り付けられた支持部材２５２によって回転自在に支持されており、展開前の被覆材７に載せられる。そして、支持部材２５２、ローラ２５１の自重によって、展開前の被覆材７を押さえつけることによって、被覆材７の浮き上がりを防止する。また、浮上がり防止部材２５０は、回転自在に支持されるローラ２５１を被覆材７との接触部に用いている。これにより、被覆材７との摩擦力が過大になることが防止されるので、被覆材７をスムーズに引き出すことができ、被覆材７の破損を防止することができる。
【００４２】
また、本実施形態では、被覆材７を複数層に折り畳まれた状態で架台２に載せているが、図７に示すように、ロール状に巻かれた状態で架台２に載せるように構成してもよい。ロール状に巻かれた被覆材７の芯７１に通される軸部材２６が架台２に設けられており、軸部材２６によって被覆材７は回転自在に支持され、回転しながら引き出される。
【００４３】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００４４】
１  設置補助装置
２  架台
２４  抵抗付与部
２５  浮上がり防止部材
３  滑走部材
３３  受力部
４  巻取り装置
４１  紐体
４２  回転ドラム
４４  モータ
４５  リモートコントローラ
５  農業用ハウス
５１  屋根
６  フレーム
７  被覆材
【図１】
2015171330.tif 000003
【図２】
2015171330.tif 000004
【図３】
2015171330.tif 000005
【図４】
2015171330.tif 000006
【図５】
2015171330.tif 000007
【図６】
2015171330.tif 000008
【図７】
2015171330.tif 000009